(57)【要約】【課題】作業者の負担を軽減することができ、さらに生産性を高めることができる小型水上艇のライドプレート位置決め機構を提供する。【解決手段】小型水上艇１０のライドプレート位置決め機構３０は、艇尾１５の底面１５ａのうち、ウォータジェット推進機１７の下方部分を、艇体１１から取外し可能なライドプレート３１で構成するとともに、ライドプレート３１に左右一対の位置決め突起３２，３２を一体形成し、艇体１１側に位置決め突起３２，３２に対応する左右一対の位置決め受け部３３，３３を設けた。【選択図】　　　　図３
2004098962.tif 000002
【特許請求の範囲】
【請求項１】
艇体内に、エンジン及びこのエンジンで駆動されるジェット推進機をこの順に配置し、ジェット推進機で発生するジェット水により推進する小型水上艇において、
前記艇尾の底面のうち、前記ジェット推進機の下方部分を、艇体から取外し可能なライドプレートで構成するとともに、ライドプレートの前部に上方に突出した左右一対の位置決め突起を一体形成し、艇体側に前記位置決め突起の前面に当接する左右一対の位置決め受け部を設けたことを特徴とする小型水上艇のライドプレート位置決め機構。
【発明の詳細な説明】
【０００１】
【発明の属する技術分野】
本発明は、艇尾の底面に開口部を設け、この開口部をライドプレートで塞ぐように構成した小型水上艇のライドプレート位置決め機構に関する。
【０００２】
【従来の技術】
海面や湖面を滑走する小型艇として小型水上艇が知られている。（例えば、特許文献１参照。）。
【０００３】
【特許文献１】
特開平９―２８１１３２号公報（第２頁、図１）
【０００４】
以上の特許文献１に示す小型水上艇の一例を以下に説明する。
この小型水上艇は、艇体内にエンジンとエンジンで駆動するジェット推進機とを備え、ジェット推進機の後端にステアリングノズルを備える。小型水上艇によれば、エンジンでジェット推進機を駆動することにより、ウォータジェット推進機のインペラを回転し、インペラの回転で艇底の吸込口から水を吸い込む。
この吸い込んだ水をステアリングノズルの後端から後方に向けてジェット水として噴射することにより、ジェット水の噴射力で小型水上艇を滑走させることができる。
【０００５】
小型滑走艇の艇尾を構成する底面のうち、ウォータジェット推進機の下方部分を、艇体から取外し可能なライドプレートで構成している。ライドプレートを艇底に取り付けることで、ライドプレートに沿って水を後方に円滑に流すことが可能になる。
ここで、艇体の推進抵抗を減少させて小型水上艇を良好に滑走させるためには、艇体に対してライドプレートの前後方向の向きを正確に決める必要がある。
【０００６】
このライドプレートは、艇体への組付け性やメンテナンス性を考慮して、通常艇底にボルトで取り付けるように構成する。
例えば、ライドプレートを略矩形プレートに形成し、この矩形プレート前部の左右側部と、矩形プレート後部の左右側部の４カ所に取付孔を形成する。
一方、艇体の艇底には、ライドプレートの取付孔に相当する４カ所の部位にそれぞれねじ孔を形成する。
【０００７】
ライドプレートを艇底に取り付ける際には、ライドプレートの４カ所の取付孔を、艇体の４カ所のねじ孔に合わせる。次に、４カ所の取付孔にボルトを差し込み、差し込んだ各ボルトをねじ孔にねじ込む。これにより、艇体の艇底にライドプレートを取り付けることができる。
【０００８】
【発明が解決しようとする課題】
しかし、ライドプレートをボルト止めした場合には、取付孔やボルトなどの公差が影響して、艇体に対してライドプレートを精度よく取り付けることは難しい。
特に、艇体に対してライドプレートの前後方向の向きを精度よく組み付けることは難しい。組付け精度を高めようとすると、ライドプレートの組付けに時間がかかり、そのことが生産性を上げる妨げになっていた。
【０００９】
そこで、本発明の目的は、艇体に対してライドプレートの組付け精度を簡単に高めることができる小型水上艇のライドプレート位置決め機構を提供することにある。
【００１０】
【課題を解決するための手段】
上記目的を達成するために請求項１は、艇体内に、エンジン及びこのエンジンで駆動されるジェット推進機をこの順に配置し、ジェット推進機で発生するジェット水により推進する小型水上艇において、前記艇尾の底面のうち、前記ジェット推進機の下方部分を、艇体から取外し可能なライドプレートで構成するとともに、ライドプレートの前部に上方へ突出した左右一対の位置決め突起を一体形成し、艇体側に前記位置決め突起の前面に当接する左右一対の位置決め受け部を設けたことを特徴とする。
【００１１】
ライドプレートに左右一対の位置決め突起を一体形成し、艇体側に位置決め突起に対応する左右一対の位置決め受け部を設けた。よって、ライドプレートの位置決め突起を艇体側の位置決め受け部に当接することにより、ライドプレートを艇体に対して精度よく、特に前後方向の向きを精度よく位置決めすることができる。
これにより、ライドプレートを艇体に対して精度よく、特に艇体に対する前後方向の向きを精度よく組み付けることができる。
【００１２】
【発明の実施の形態】
本発明の実施の形態を添付図に基づいて以下に説明する。ここで、「前」、「後」、「左」、「右」は運転者から見た方向に従う。なお、図面は符号の向きに見るものとする。
図１は本発明に係るライドプレート位置決め機構を備えた小型水上艇を示す側面図である。
小型水上艇１０は、艇体１１の前部１２に燃料タンク１３を設け、この燃料タンク１３の後方にエンジン１４を設け、このエンジン１４の後方の艇尾１５にジェット推進機室１６を設け、このジェット推進機室１６にウォータジェット推進機（ジェット推進機）１７を設け、このウォータジェット推進機１７の後方にステアリングノズル１８を設け、ステアリングノズル１８を左右にスイングする操舵ハンドル１９を燃料タンク１３の上方に設け、操舵ハンドル１９の後方に艇体１１の前後方向に延びるシート２３を設け、このシート２３の後方の艇尾１５の底面にライドプレート位置決め機構３０を設けたものである。
【００１３】
図２は本発明に係るステアリングノズル取付構造を備えた小型水上艇の要部を示す断面図である。
ウォータジェット推進機１７は、艇体１１の艇底２４（図１参照）に吸込口２５を形成し、この吸込口２５をウォータジェット推進機室１６まで延ばし、ジェット推進機室１６の壁部２６に基台２７を設け、基台２７に円筒状のステータ２８を設け、このステータ２８内にインペラ２９を回転自在に配置し、このインペラ２９のシャフト２９ａに駆動シャフト１４ａ（図１参照）を連結したものである。
【００１４】
小型水上艇１０によれば、図１に示すエンジン１４で駆動シャフト１４ａを回転することによりインペラ２９を回転することができる。インペラ２９が回転することにより、吸込口２５から水を吸い込んで、ステータ２８内に導くことができる。
導いた水をステータ２８の後端からステアリングノズル１８を経て水ジェットとして後方に向けて噴射することにより、小型水上艇１０を滑走させることができる。
【００１５】
また、この小型水上艇１０のライドプレート位置決め機構３０は、艇尾１５の底面１５ａのうち、ウォータジェット推進機１７の下方部分を、艇体１１から取外し可能なライドプレート３１で構成するとともに、ライドプレート３１に左右一対の位置決め突起３２，３２を一体形成し、艇体１１側に位置決め突起３２，３２に対応する左右一対の位置決め受け部３３，３３を設けた。
【００１６】
左右の位置決め突起３２，３２を左右の位置決め受け部３３，３３に当接することにより、ライドプレート３１を艇体１１に対して前後方向に精度よく取り付けることができる。
このライドプレート３１はボルト３４・・・（図４参照）で艇体１１に固定したものである。
【００１７】
図３は本発明に係る小型水上艇のライドプレート位置決め機構を示す分解斜視図であり、艇尾１５の底面１５ａにウォータジェット推進機１７（図２参照）の吸込口２５を形成し、吸込口２５に格子部材３５をボルト止めした状態を示す。
【００１８】
ライドプレート３１は、艇面１５ａの開口部３７に対応させて略矩形状に形成し、前縁４１に係止片４２を設けるとともに左右側部４３，４４に取付孔４５・・・を形成し、前端部４６の裏面４７（図４参照）、すなわち艇体１１に対向する面に左右一対の位置決め突起３２，３２を所定間隔をおいて設けたものである。
【００１９】
一方、底面１５ａの開口部３７は、左右の側部にライドプレート３１の左右側部４３，４４を受ける左右の受け凹部４８，４９を備え、左右の受け凹部４８，４９にはそれぞれ前後にねじ孔５０・・・を備える。
このように、底面１５ａの開口部３７に左右の受け凹部４８，４９を備えることで、左右の段部４８ａ，４９ａを形成することができる。
【００２０】
よって、この左右の段部４８ａ，４９ａでライドプレート３１の左右の側部４３，４４を規制することができるので、ライドプレート３１の左右の左右方向の位置決めが可能になる。
【００２１】
なお、左右の受け凹部４８，４９に備えたねじ孔５０・・・は、ライドプレート３１の取付孔４５・・・に相当する位置にそれぞれ形成されている。
また、艇体１１の壁面２６には、位置決め突起３２，３２に対応する左右一対の位置決め受け部３３，３３を備えている。
【００２２】
ライドプレート３１の係止片４２を格子部材３５の後端部５１に載せ、左右の位置決め突起３２，３２を左右の位置決め受け部３３，３３に当接する。この状態で、ライドプレート３１の左右の側部４３，４４を左右の受け凹部４８，４９に押し付ける。
【００２３】
このとき、ライドプレート３１の左右の側部４３，４４を、左右の受け凹部４８，４９を構成する段部４８ａ，４９ａで規制することができる。これにより、ライドプレート３１の左右方向の位置決めを左右の段部４８ａ，４９ａでおこなうことができる。
【００２４】
これにより、取付孔４５・・・をねじ孔５０・・・に合わせることができる。取付孔４５・・・にボルト３４・・・を差し込み、差し込んだボルト３４・・・をねじ孔５０・・・にねじ込むことによりライドプレート３１を底面１５ａに取り付けることができる。
【００２５】
ライドプレート３１に左右一対の位置決め突起３２，３２を一体形成し、艇体１１側に位置決め突起３２，３２に対応する左右一対の位置決め受け部３３，３３を設けた。
よって、ライドプレート３１の位置決め突起３２，３２を艇体１１側の位置決め受け部３３，３３に当接するだけで、ライドプレート３１を艇体１１に対して精度よく組み付けることができる。
これにより、ライドプレート３１を時間をかけないで簡単に、艇体に精度よく組み付けることができる。
【００２６】
図４は本発明に係る小型水上艇のライドプレート位置決め機構の要部を示す分解斜視図である。
艇尾１５の底面１５ａのうち、ウォータジェット推進機１７の下方部分を、艇体１１から取外し可能なライドプレート３１で構成し、ライドプレート３１を構成する前端部４６の裏面４７に左右一対の位置決め突起３２，３２を一体形成し、艇体１１の壁面２６に位置決め突起３２，３２に対応する左右一対の位置決め受け部３３，３３を設けた。
【００２７】
左右一対の位置決め突起３２，３２は、ライドプレート３１を構成する前端部４６の裏面４７から所定間隔をおいて上方に突出させるとともに、平断面で略矩形状に形成し、前端部３２ａ，３２ａを左右の位置決め受け部３３，３３に当接するようにした部材である。
【００２８】
なお、位置決め突起３２，３２を前方に向けて傾斜させることで、前端部３２ａ，３２ａのそれぞれの先端３２ｂ，３２ｂを前方に突出させることで、先端３２ｂ，３２ｂを左右の位置決め受け部３３，３３に当接させることも可能である。
【００２９】
ここで、本実施形態では、左右の位置決め受け部３３，３３として艇体１１の壁面２６を利用する構成にした。
これにより、艇体１１側に位置決め受け部３３，３３を新たに形成する必要がなく、小型水上艇のライドプレート位置決め機構３０を簡単な構成にすることができる。
【００３０】
次に、ライドプレート位置決め機構３０を構成するライドプレート３１を艇体１１の開口部３７に組み付ける例を図５に基づいて説明する。
図５（ａ），（ｂ）は本発明に係る小型水上艇のライドプレート位置決め機構を構成するライドプレートを艇体に組み付ける手順を示す説明図である。
（ａ）において、ライドプレート３１の係止片４２を格子部材３５の後端部５１に矢印の如く載せる。
【００３１】
（ｂ）において、ライドプレート３１の左右の位置決め突起３２，３２を艇体１１側の左右の位置決め受け部３３，３３に当接させる。この状態で、ライドプレート３１の左右の側部４３，４４を左右の受け凹部４８，４９（図３参照）に押し付ける。
【００３２】
これにより、取付孔４５・・・をねじ孔５０・・・に合わせることができる。取付孔４５・・・にボルト３４・・・を差し込み、差し込んだボルト３４・・・をねじ孔５０・・・にねじ込むことによりライドプレート３１を底面１５ａに取り付けることができる。
【００３３】
このように、ライドプレート３１の左右の位置決め突起３２，３２を艇体１１側の左右の位置決め受け部３３，３３に当接させることで、ライドプレート３１を艇体１１に対して精度よく、特に前後方向の向きを精度よく取り付けることができる。
【００３４】
なお、前記実施形態では、位置決め突起３２，３２用の位置決め受け部３３，３３として壁面２６を利用する例を説明したが、壁面２６に凹部を形成し、その部位を位置決め受け部３３，３３とすることも可能である。
これにより、ライドプレートの左右方向の位置決めをより手間をかけないで簡単におこなうことができる。
【００３５】
また、前記実施形態では、左右の位置決め突起３２，３２をライドプレート３１の前端部４６裏面４７に突出させ、位置決め突起３２，３２の断面を略矩形状に形成した例について説明したが、位置決め突起３２，３２の断面形状はこれに限るものではなく、任意に形状を選択することができる。
【００３６】
【発明の効果】
本発明は上記構成により次の効果を発揮する。
請求項１は、ライドプレートに左右一対の位置決め突起を一体形成し、艇体側に位置決め突起に対応する左右一対の位置決め受け部を設けた。よって、ライドプレートの位置決め突起を艇体側の位置決め受け部に当接することにより、ライドプレートを艇体に対して精度よく、特に前後方向の向きを精度よく位置決めすることができる。
【００３７】
これにより、ライドプレートを艇体に対して精度よく、特に前後方向の向きを精度よく組み付けることができる。
このように、ライドプレートの左右の位置決め突起を艇体側の左右の位置決め受け部に当接するだけで、ライドプレートを精度よく艇体に組み付けることができるので、生産性を高めることができる。
【図面の簡単な説明】
【図１】本発明に係るライドプレート位置決め機構を備えた小型水上艇を示す側面図
【図２】本発明に係るステアリングノズル取付構造を備えた小型水上艇の要部を示す断面図
【図３】本発明に係る小型水上艇のライドプレート位置決め機構を示す分解斜視図
【図４】本発明に係る小型水上艇のライドプレート位置決め機構の要部を示す分解斜視図
【図５】本発明に係る小型水上艇のライドプレート位置決め機構を構成するライドプレートを艇体に組み付ける手順を示す説明図
【符号の説明】
１０…小型水上艇、１１…艇体、１４…エンジン、１５…艇尾、１５ａ…艇尾の底面、１７…ウォータジェット推進機（ジェット推進機）、３０…小型水上艇のライドプレート位置決め機構、３１…ライドプレート、３２…位置決め突起、３３…位置決め受け部。
【図１】
2004098962.tif 000003
【図２】
2004098962.tif 000004
【図３】
2004098962.tif 000005
【図４】
2004098962.tif 000006
【図５】
2004098962.tif 000007